(57)【要約】【課題】主軸の回転数に基づいて緯入れ条件を変更する流体噴射式織機において、緯入れ条件に関する予備設定作業を簡略化することができる緯入れ装置を提供すること。【解決手段】緯入れ関連装置を制御するための緯入れ条件を選択する緯入れ制御器を備えた流体噴射式織機の緯入れ装置において、主軸の回転数に関する境界値と境界値に対する大小関係に対応した緯入れ条件とを予め記憶している記憶器と、境界値と主軸の回転数とを比較して境界値に対する大小関係に対応した信号を緯入れ制御器に出力する比較器とを備え、緯入れ制御器は、比較器からの大小関係に対応した信号の入力を受けて、記憶器から対応する緯入れ条件を選択することを特徴とする。【選択図】      図１
2011042883.tif 000002
【特許請求の範囲】
【請求項１】
緯入れ関連装置を制御するための緯入れ条件を選択する緯入れ制御器を備えた流体噴射式織機の緯入れ装置において、
主軸の回転数に関する境界値と境界値に対する大小関係に対応した緯入れ条件とを予め記憶している記憶器と、
境界値と主軸の回転数とを比較して境界値に対する大小関係に対応した信号を緯入れ制御器に出力する比較器とを備え、
緯入れ制御器は、比較器からの大小関係に対応した信号の入力を受けて、記憶器から対応する緯入れ条件を選択することを特徴とする流体噴射式織機の緯入れ装置。
【請求項２】
流体噴射式織機は、糸種に応じた２以上の緯入れ系列を備える多色緯入れ織機であり、
記憶器は、糸種に応じた複数の境界値を予め記憶していることを特徴とする請求項１記載の流体噴射式織機の緯入れ装置。
【請求項３】
流体噴射式織機は、糸種に応じた２以上の緯入れ系列を備える多色緯入れ織機であり、
記憶器は、糸種に応じた異なる緯入れ条件を予め記憶していることを特徴とする請求項１又は２記載の流体噴射式織機の緯入れ装置。
【発明の詳細な説明】
【技術分野】
【０００１】
本発明は、緯糸を緯入れするための流体の噴射タイミングや噴射圧力等を織機の主軸の回転数に基づいて変更する流体噴射式織機の緯入れ装置に関する。
【背景技術】
【０００２】
上述した流体噴射式織機の緯入れ装置の一例として、織機の運転中（製織中）に異なる速度指令を発して織機の主軸の回転速度（回転数）を変更する場合に、各速度指令に対応する流体の噴射圧力を緯入れ制御装置（緯入れ制御器）に予め記憶させておき、現在の速度指令に応じた流体の噴射圧力を使用して緯糸を緯入れし、織機を運転するものがある（特許文献１）。
【０００３】
また、上述した流体噴射式織機の緯入れ装置の別例として、前記と同様の場合に、各速度指令（速度信号）に対応する流体の噴射タイミングを緯入れ制御装置に予め記憶させておき、現在の速度指令に応じた流体の噴射タイミングを使用して緯糸を緯入れし、織機を運転させるものがある（特許文献２）。
【先行技術文献】
【特許文献】
【０００４】
【特許文献１】特開昭６２−１２５０４７号公報
【特許文献２】実開昭６３−１４９９７９号公報
【発明の概要】
【発明が解決しようとする課題】
【０００５】
上述した２つの例は、いずれも２種類の運転条件に対応した主軸の回転数と、緯入れ条件とを、１対１の関係で緯入れ制御器に予め記憶させてある。なお、ここで言う「緯入れ条件」とは、噴射流体の圧力や、緯入れ開始タイミング、あるいはこれらの組み合わせのことをいう。
【０００６】
ところで、実際の製織においては、製織に際して設定される主軸の回転数は、製織時の環境に起因する緯糸の飛走状態やその織物の生産計画等の状況といった様々な種類の運転条件に対応して変更する場合がある。具体的には、同じ織布を製織する場合において、標準的には主軸の回転数を４００r/mに設定して製織が行われるものであっても、上記のような製織時の環境等に応じ、主軸の回転数を４２０r/mに設定することもあれば、３８０r/mに設定することもある。従って、織機に対し設定され得る主軸の回転数には、多数の種類が想定される。
【０００７】
このように多数の種類が想定される場合に上述した従来技術を採用して、１対１の関係を保つように多数の種類に対応する緯入れ条件を予め緯入れ制御装置に対し記憶させようとすると、その予備設定作業は、非常に煩雑となり、多くの時間と手間を要してしまう。なお、ここで言う「予備設定」とは、緯入れ条件を選択するための機能を有効にするための設定のことをいう。
【０００８】
上記実情に基づいてなされた本発明の課題は、主軸の回転数に基づいて緯入れ条件を変更する流体噴射式織機において、緯入れ条件に関する予備設定作業を簡略化することができる緯入れ装置を提供することである。
【課題を解決するための手段】
【０００９】
流体噴射式織機の緯入れ装置の発明は、緯入れ関連装置を制御するための緯入れ条件を選択する緯入れ制御器を備えていることを前提とする。
【００１０】
そして、主軸の回転数に関する境界値と境界値に対する大小関係に対応した緯入れ条件とを予め記憶している記憶器と、境界値と主軸の回転数とを比較して境界値に対する大小関係に対応した信号を緯入れ制御器に出力する比較器とを備え、緯入れ制御器は、比較器からの大小関係に対応した信号の入力を受けて、記憶器から対応する緯入れ条件を選択することを特徴とする。
【００１１】
流体噴射式織機は、前記緯入れ関連装置を含む緯入れ系列の個数を問わず、その全てについて同じ境界値及び／又は同じ緯入れ条件を使用しても良い。しかし、２以上の緯入れ系列を備えた織機において、飛走状態が異なる糸種の緯糸を混在させ併用して製織を行う場合、同じ緯入れ条件では対応できないこともある。このような場合に対応するには、例えば、次のようにすることが望ましい。即ち、流体噴射式織機は、糸種に応じた２以上の緯入れ系列を備える多色緯入れ織機であり、記憶器は、糸種に応じた複数の境界値を予め記憶しているものである。また、流体噴射式織機は、糸種に応じた２以上の緯入れ系列を備える多色緯入れ織機であり、記憶器は、糸種に応じた異なる緯入れ条件を予め記憶しているものである。なお、上記でいう「緯入れ系列」とは、一般的な織機において、協働で作動することによって１回の緯入れを実現している複数の緯入れ関連装置（測長貯留装置、メインノズル、サブノズル等）が属する組のことをいう。
【発明の効果】
【００１２】
本発明の織機の緯入れ装置によれば、緯入れ関連装置を制御するための緯入れ条件に関して予め記憶器に記憶させておく予備設定の入力が、主軸の回転数に関する境界値と境界値に対する大小関係に対応した緯入れ条件であり、従来に比べて少なくて済む。その結果、緯入れ条件に関する予備設定作業は、従来のように主軸の想定される回転数の全てについて対応する緯入れ条件を１対１の関係で予め記憶させる必要が無くなるので、時間と手間が軽減される。
【００１３】
より詳しく言えば、従来においては、想定される主軸の回転数毎に緯入れ条件を１対１の関係で設定するということしか考えられていなかった。しかし、本出願の発明者は、主軸の回転数がある程度の範囲（例えば、前後200r/m程度）であれば、同じ緯入れ条件であっても許容レベルの緯入れが可能であることを見出し、その考え方に基づき、同じ緯入れ条件で対応できる主軸の回転数を範囲として捉えると共に、その範囲の境を境界値として設定し、境界値との大小関係に応じて緯入れ条件を選択するものとした。それ故、その製織のために想定される主軸回転数が多数存在したとしても、予備設定段階で設定される緯入れ条件を大幅に減らすことができ、上記効果が得られるものである。
【００１４】
２以上の緯入れ系列を備えた織機において、飛走状態が異なる糸種の緯糸を混在させ併用して製織を行う場合、同じ緯入れ条件では対応できないこともある。そこで、糸種に応じた複数の境界値や境界値に対する大小関係に応じた異なる緯入れ条件を記憶器に予め記憶させておくことにより、多種多様な緯糸を使用した織機にも対応可能となるし、その予備設定作業に要する時間と手間の軽減効果が高い。
【図面の簡単な説明】
【００１５】
【図１】空気噴射式織機の緯入れ装置の要部を示す説明図である。
【発明を実施するための形態】
【００１６】
図１は、本発明を適用した多色緯入れ織機として、流体噴射式（空気噴射式）の多色緯入れ織機の要部を示している。また、以下の説明では、その多色緯入れ織機によって異なる緯糸密度の部分を含む織布２８を製織するとともに、その緯糸密度の変更に伴って製織中に主軸４１の回転数を変更するもの（例えばタオル織機）を例に挙げて述べる。
【００１７】
図１で示す２つの緯入れ系列１、２と緯入れ制御装置４６とを備えた緯入れ装置１１において、各緯入れ系列１、２で緯入れする緯糸１４は、給糸体スタンド１２により支持されている給糸体１３から引き出され、例えばドラム式の測長貯留装置１５の糸巻付けアーム１６の内部に導かれ、静止状態のドラム１７の外周面で係止ピン１８により係止されながら、糸巻付けアーム１６の回転運動によりドラム１７の外周面に巻き付けられる。これによって、１回の緯入れに必要な長さの緯糸１４は、ドラム１７の外周面に巻き付けられ、緯糸１４の緯入れ時まで貯留されている。
【００１８】
測長貯留装置１５（糸巻付けアーム１６の回転運動及び係止ピン１８の進退運動）や、後述の緯入れ用のメインノズル２１は、織機制御装置４５における緯入れ制御装置４６の緯入れ制御器４９によって、緯入れパターンに定められた緯糸１４の選択順序（緯入れ系列の選択順序）に基づいて動作する。
【００１９】
緯入れ開始タイミングで、緯入れ制御器４９によって選択された緯糸１４に対応する係止ピン１８が操作器１９に駆動されて、ドラム１７の外周面から後退すると、ドラム１７の外周に巻き付けられている１回の緯入れに必要な長さの緯糸１４は、ドラム１７上において解舒可能な状態となる。そして、緯糸１４は、ドラム１７から緯入れ用のメインノズル２１に通されており、メインノズル２１の噴射により、ドラム１７上から解舒されて緯入れされる。
【００２０】
選択された緯糸１４に対応するメインノズル２１は、設定された緯入れ開始のタイミングで経糸２４の開口２５へ向けて圧力空気の噴射を開始し、設定された噴射期間に亘って噴射を継続することによって、所定の長さの緯糸１４を開口２５内に緯入れする。この緯入れ動作によって、緯糸１４は、開口２５内の緯糸飛走経路に沿って飛走する。なお、圧力空気は、圧力空気源３５から供給され、圧力調整器３６により緯入れに適切な空気圧に調整されてから、電磁開閉弁３７を経てメインノズル２１に供給されている。電磁開閉弁３７は、緯入れ制御器４９の制御によって、緯入れパターンに定められた緯糸選択順序に基づいて動作する。
【００２１】
前記のように図１の緯入れ装置１１は２色の緯入れに対応するものであるが、より多色の緯入に対応するものの場合、給糸体１３、測長貯留装置１５及びメインノズル２１等は、多色数（緯糸１４の本数）に応じて設置され、緯入れパターンに定められた緯糸選択順序によって緯入れ動作が行われる。
【００２２】
緯入れされた緯糸１４が開口２５内の飛走経路に沿って飛走する過程で、複数グループのサブノズル２２は、緯糸１４の飛走方向に向けて緯糸飛走経路に圧力空気を一斉噴射又はリレー噴射して、飛走中の緯糸１４を緯入れ方向に加勢する。なお、圧力空気は、圧力空気源３５から供給され、圧力調整器３８によって適切な空気圧に調整されてから各グループに対応する電磁開閉弁３９を経て各グループのサブノズル２２に供給されている。各電磁開閉弁３９は、緯入れ制御器４９の制御によって、設定されたタイミングにおいて対応するグループのサブノズル２２へ圧力空気を供給し、サブノズル２２から圧力空気を噴射させて飛走中の緯糸１４を緯入れ方向に加勢する。
【００２３】
上述したサブノズル用の圧力調整器３８は、圧力調整弁であってもよい。しかし、応答性の面で問題があるため、圧力調整器３８は、それぞれが圧力調整弁を有する緯入れ系列１、２の数あるいは切り換えられる圧力値の数等に応じた複数経路の流路を切替弁によって選択的に切り替えるものとすることが好ましい。
【００２４】
メインノズル２１及び複数グループのサブノズル２２の噴射動作により、緯糸１４が正常に緯入れされたときに、その緯糸１４は、筬２７の筬打ち運動によって織布２８の織り前２９に筬打ちされ、織布２８に織り込まれた後、緯入れ側で給糸カッタ３０によって切断され、メインノズル２１の内部の緯糸１４から切り離される。
【００２５】
緯入れが正常に行われたか否かは、緯糸フィーラ３１によって検出される。緯糸フィーラ３１は、反緯入れ側の織布２８の織り端部分の近傍位置、及びさらに緯入れ方向に離れた位置の２箇所で緯糸飛走経路に対向して配置された第１のセンサと第２のセンサからの検知信号に基づいて、緯入れが正常に行われたか否かを判断する。
【００２６】
織布２８の織り端部分の近傍位置における第１のセンサは、正常に緯入れされた緯糸１４の到達し得る位置に設けられており、そこで正常に緯入れされた緯糸１４の先端を検知する。この検知は、緯糸１４の正常な到達時期（設定された検知期間）内において第１のセンサに発生する検知信号のレベルと基準信号レベルとを比較することによって行われる。従って、第１のセンサによれば、緯入れされたにもかかわらず第１のセンサの位置へ緯糸１４の先端が到達しない緯入れ不良（ショートピック、ベントピック等）が検出される。なお、検知期間は、通常、主軸４１の回転角上で設定される。
【００２７】
前記の検知期間において、第１のセンサは、緯糸１４の到達を検出したときに、それに応じた出力信号を発生する。そのとき、緯糸フィーラ３１は、第１のセンサからの出力信号に基づき、正常な緯入れに対応する糸信号Ｓ１を発生し、この糸信号Ｓ１を織機制御装置４５における主制御器４７に送る。主制御器４７は、正常な緯入れに対応する糸信号Ｓ１の存在を条件として織機の運転（製織）を継続させる。
【００２８】
前記の検知期間において、糸信号Ｓ１が発生しなかったとき、つまり緯入れ不良が発生していて、第１のセンサが緯糸１４の到達を検出できなかったとき、緯糸フィーラ３１は、緯入れの異常と判断して、緯止め信号（「第１の緯止め信号」ともいう。）Ｓ２を出力し、この緯止め信号Ｓ２を主制御器４７に送る。そして、主制御器４７は、緯止め信号Ｓ２を受けると、直ちに停止制御を実行し、織機を主軸４１の所定の角度で停止させる。
【００２９】
第１のセンサよりもさらに緯入れ方向に離れた位置における第２のセンサは、正常に緯入れされた緯糸１４が到達しない位置で緯糸飛走経路に対向し、緯糸１４の吹き切れやロングピックといった緯入れ不良を検知するために設けられる。この検出は、検知期間内において緯糸１４の異常な到達時期（到達角度）で第２のセンサに発生する検知信号のレベルと基準信号のレベルとを比較することによって行われる。
【００３０】
なお、検知期間は、通常、主軸４１の回転角上で設定される。この検知期間において、緯糸フィーラ３１は、第２のセンサからの出力信号を入力したときに、緯入れの異常と判断して、緯止め信号（「第２の緯止め信号」ともいう。）Ｓ３を発生し、この緯止め信号Ｓ３を主制御器４７に送る。主制御器４７は、第２の緯止め信号Ｓ３を受けると、第１の緯止め信号Ｓ２を受けたときと同様に、織機を主軸４１の所定の角度で直ちに停止させる。
【００３１】
主軸４１の回転角度θの検出のために、主軸４１に角度検出器（エンコーダ）４３が連結されている。製織中にエンコーダ４３は、主軸４１の回転角度θの信号を発生し、これを織機制御装置４５の主制御器４７及び緯入れ制御装置４６の比較器４８、並びに開口制御装置４４に送り込んでいる。
【００３２】
開口制御装置４４は、製織条件として緯糸密度の他、緯入れパターン、開口パターンなどが設定器５２を介して予め設定される。そして、開口制御装置４４は、設定された緯糸密度に応じた密度信号Ｓ４を、主制御器４７に出力する。また、開口制御装置４４は、上述したエンコーダからの回転角度θの信号によって１製織サイクル（開口パターンの１リピート）毎にサイクル数をカウントする。そして、開口制御装置４４は、サイクル数のカウント値に応じて、設定された緯入れパターンに従い、選択される緯入れ系列に対応する選択信号（糸種選択信号）Ｓ５を緯入れ制御装置４６の比較器４８及び緯入れ制御器４９に対し出力する。
【００３３】
織機制御装置４５は、織機の主軸４１の回転に同期した状態で織機を制御することや、その他の必要な制御を行うために、主制御器４７と緯入れ制御装置４６とから構成されている。
【００３４】
主制御器４７は、製織中においては、設定器５２によって設定された２種類の設定回転数に従って主軸４１の回転を制御する。設定回転数は、開口制御装置４４に設定された製織条件における緯糸密度に対応させて設定される。主制御器４７は、開口制御装置４４からの設定緯糸密度に応じた密度信号Ｓ４の入力を受け、その密度信号Ｓ４に対応する設定回転数を選択し、それに従って主軸４１（原動モータ４２）の回転を制御する。また、主制御器４７は、密度信号Ｓ４に基づいて巻取装置（図示せず）の駆動を制御し、これによって製織される織布２８の緯糸密度が変更される。さらに、主制御器４７は、主軸４１の回転の制御に伴い、選択された設定回転数に応じた信号（主軸４１の回転数信号Ｓ６）を比較器４８に対し出力する。
【００３５】
緯入れ制御装置４６は、比較器４８、緯入れ制御器４９及び記憶器５１を備えている。以下、各構成要素について詳述する。
【００３６】
記憶器５１には、予備設定の段階において作業者により設定器５２を介して設定がなされ、主軸４１の回転数に関する境界値と境界値に対する大小関係に対応した２種類の緯入れ条件とがそれぞれ記憶されている。本実施例では、各緯入れ系列は、同じ緯入れ条件で緯入れ動作を行うものとする。従って、境界値及び緯入れ条件は、各緯入れ系列１、２に共通のものが使用される。
【００３７】
比較器４８は、主制御器４７からの主軸４１の回転数信号Ｓ６の入力を受けて、その回転数信号Ｓ６を、記憶器５１に予め記憶されている境界値と比較する。この比較は、製織中の１製織サイクル毎に、１サイクル中の所定のタイミング（例えば主軸４１の回転角０°）で行われるものとする。そして比較した上で、比較器４８は、境界値に対する大小関係に応じた切換信号Ｓ７を緯入れ制御器４９に出力する。
【００３８】
緯入れ制御器４９は、比較器４８からの切換信号Ｓ７の入力を受けて、記憶器５１に予め記憶されている２種類の緯入れ条件の中から切換信号Ｓ７に対応する緯入れ条件を選択する。また、緯入れ制御器４９は、選択した緯入れ条件に従って開口制御装置４４からの糸種選択信号Ｓ５に対応する緯入れ系列を制御する。具体的には、例えば、緯入れ条件は、緯入れ開始タイミング（係止ピン１８を後退させる操作器１９の駆動タイミング（緯糸解舒タイミング）、メインノズル２１の流体の噴射開始タイミングなど）とする。そして、その緯入れ条件に従って、糸種選択信号Ｓ５に対応する緯入れ系列の測長貯留装置１５、メインノズル２１、サブノズル２２等の動作を主軸４１の適切な回転角度θのもとに制御し、対応する緯入れ系列によって選択された緯糸１４の緯入れ動作を実行させる。
【００３９】
前述のように、「緯入れ系列」とは、１回の緯入れを協働で実現するために作動する複数の緯入れ関連装置が属する組をいう。また、「緯入れ関連装置」とは、給糸体１３から引き出された緯糸１４の緯入れに関与する装置であり、給糸体１３よりも下流側に存在する装置をいう。その緯糸関連装置には、測長貯留装置１５、メインノズル２１、サブノズル２２が含まれる。但し、これらのうちサブノズル２２は、各緯入れ系列１、２において共通に用いられる。
【００４０】
上述した織機制御装置４５は、機能別のブロックの組み合わせとして構成されている。かかる織機制御装置４５は、各ブロックからなる装置を組み合わせて実現しても良いし、コンピュータに所定のソフトウェアをインストールし、そのソフトウェアを実行させることによって、コンピュータの入出力手段、記憶手段、演算制御手段及びソフトウェアが協働した各ブロックを構成し、それらブロックにより実現することも可能である。
【００４１】
また、開口制御装置４４、主制御器４７及び記憶器５１に対して、緯入れ条件を含む製織条件のデータ等を設定するために、例えばタッチパネル式やキーボード等の設定器５２が通信可能に設けられている。
【００４２】
上述した緯入れ制御装置４６に対して予備設定の段階において、境界値及び切り換えられる緯入れ条件が設定される。この予備設定は、その織機を使用する製織工場においてその織機で想定される製織を考慮し、その製織工場の作業者によって行われるか、または、織機メーカ側において、緯入れ制御装置４６のシステムとして事前に設定されて記憶されて提供されるものであっても良い。
【００４３】
予備設定段階において設定される境界値及び緯入れ条件は次のように求められる。例えば、その織機で想定される製織における実用レベルでの主軸４１の最高回転数が800r/m程度とする。その場合において、最高回転数800r/mで許容レベルの緯入れが可能な緯入れ条件を試織によって求める。具体的には、最高回転数800r/mに対しより近い主軸４１の回転数に適した緯入れ条件を試せば、最高回転数800r/mでも充分に許容レベルの緯入れが可能であるが、その場合はより低い回転数に充分には対応できないため、さらに低い回転数に適した緯入れ条件を順次試していき、最高回転数800r/mでも許容レベルの緯入れが可能な緯入れ条件のうち最も低い回転数に適した緯入れ条件を求める。なお、許容レベルの緯入れとは、製織に最適な緯入れを含むことは勿論、織布として要求される最低限の品質を担保することのできる、緯入れをいう。
【００４４】
次いで、そのようにして求められた緯入れ条件について、どの程度の低い回転数で許容レベルの緯入れが可能かを試し、主軸４１の回転数の下限値（最低回転数）を求める。そして、その求められた最低回転数がその緯入れ条件による許容レベルの緯入れが可能な主軸４１の回転数の下限値となるため、その最低回転数を境界値に定めると共に、その緯入れ条件を境界値以上の高い回転数（回転数≧境界値）に対応する緯入れ条件と定める。
【００４５】
次に、その境界値よりも低い回転数（回転数＜境界値）に対応する緯入れ条件を定める。例えば、上記で求められた境界値が回転数500r/mであったとし、且つ、その織機における製織で想定される最も低い回転数が300r/mであるとすると、その500〜300r/mの回転数の範囲で許容レベルの緯入れが可能な緯入れ条件を上記と同様にして求める。
【００４６】
そして、以上のようにして求められた境界値及び緯入れ条件を設定器５２に入力することによって、境界値を記憶器５１の所定領域に設定して記憶させると共に、各緯入れ条件を境界値との大小関係（≧、＜）に対応させて記憶器５１の他の所定領域に設定して記憶させる。
【００４７】
以上のように本発明によれば、予備設定の段階において、同じ緯入れ条件で許容レベルの緯入れが可能な主軸４１の回転数の範囲を１つの群として定め、１群毎に１つの緯入れ条件を設定するようにしたため、設定すべき緯入れ条件の数が大幅に減少し、予備設定作業が簡素化される。つまり、従来のようにその織機の製織で想定される主軸４１の多種類の回転数の各々に１対１の関係で対応させた緯入れ条件を設定する必要がなくなる。
【００４８】
本発明は上記実施例に限定されない。例えば、上記実施例では、主軸４１の回転数の群を、１つの境界値に対する上下２つのみとしたが、その織機の製織で想定される主軸４１の回転数の範囲が広い場合、（言い換えると、主軸４１の最高回転数が高い場合）、１つの境界値では対応できないこともある。即ち、主軸４１の回転数が広範囲である場合、この広範囲の回転数を２つの群で分けると、１つの群の範囲も広くなるため、その群の全範囲を同じ緯入れ条件で緯入れすると、全範囲のうち、許容範囲の緯入れができない範囲ができることもある。このような場合には、境界値を複数設け、想定される主軸４１の回転数の範囲を３以上の群に分けるようにしても良い。なお、この場合でも、緯入れ条件の選択は、各境界値との大小関係に応じて行われる。
【００４９】
また、上記実施例では、比較器４８で境界値と比較する主軸４１の回転数を、設定回転数（密度信号Ｓ４に基づいて主制御器４７が選択した回転数信号Ｓ６）としているが、これに代えて、検出された実際の回転数としても良い。
【００５０】
さらに、上記実施例では、比較器４８が、回転数信号Ｓ６の入力を受けて主軸４１の回転数と境界値とを比較しているが、これに限らない。即ち、上記実施例のように密度信号Ｓ４と主軸４１の回転数とを対応させて設定してある場合には、比較器４８が密度信号Ｓ４の入力を受けて、記憶器５１の対応する主軸４１の回転数を判別するとともに、境界値と前記判別した主軸４１の回転数とを比較し、境界値に対する大小関係に対応した信号を緯入れ制御器４９に出力するものであっても良い。
【００５１】
また、上記実施例では、緯入れされる糸種に関係無く、主軸４１の回転数が同じ場合には、各緯入れ系列１、２を同じ緯入れ条件に従って制御して緯入れを行うものとしたが、例えば、その織機で想定される製織で使用され得る複数種の緯糸１４が同じ緯入れ条件で緯入れした場合に緯糸１４の飛走状態が大きく異なるものを含むときは、糸種毎に緯入れ条件及び／又は境界値を設定するのが好ましい。但し、必ずしも糸種毎に異なる設定にするとは限らず、同じ緯入れ条件で緯入れされる複数の緯糸１４を１つのグループとし、全ての緯糸１４を複数のグループに分け、グループ毎に緯入れ条件等を設定しても良い。そして、製織において、そのような同じ緯入れ条件で飛走状態の異なる他種類の緯糸１４が併用される場合には、開口制御装置４４からの緯入れ系列の選択信号（糸種選択信号Ｓ５）が比較器４８及び緯入れ制御器４９に入力されるものとすればよい。そして、比較器４８が緯入れ系列の選択信号に基づいて対応する糸種に応じた境界値を選択し、その境界値によって比較動作を行い、緯入れ制御器４９が比較器４８による大小関係の判定結果と糸種の選択信号とに基づき、対応する緯入れ条件を選択するものとすればよい。
【００５２】
さらに、上記実施例において前提とした製織中に主軸４１の回転数が変更される織機について、例えば、一般的なタオル織機のように、主軸４１の高低２種類の回転数に標準的なものが存在する場合は、その標準的な回転数を基準に境界値を定めても良い。具体的には、上記した主軸４１の高低２種類の回転数が600r/mと400r/mの場合には、600r/mに適した緯入れ条件で許容レベルの緯入れが可能な主軸４１の回転数の範囲と、400r/mに適した緯入れ条件で許容レベルの緯入れが可能な主軸４１の回転数の範囲とから境界値を定めるようにしても良い。
【００５３】
また、上記実施例では、製織中に境界値と主軸４１の回転数との比較及びその比較による大小関係の判定結果に基づく緯入れ条件の選択を行うものとしたが、本発明はこれに限定されず、境界値と主軸４１の各設定回転数との比較及びその比較に基づく各設定回転数に対応した緯入れ条件の設定を製織前に行い、製織中に変更される設定回転数に応じて緯入れ条件を選択するものとしても良い。さらに、上記実施例では、製織中に主軸４１の回転数が変更される織機を前提としたが、製織中に主軸４１の回転数を変更せず、主軸４１の設定回転数で製織が行われる織機における製織開始前の緯入れ条件の設定に本発明を適用しても良い。
【００５４】
また、主軸４１の回転数に応じて選択される緯入れ条件は、前記実施例の緯入れ開始タイミングに限らず、緯入れ終了タイミングや噴射流体の圧力としても良いし、緯入れ開始タイミングおよび緯入れ終了タイミングと圧力との組み合わせとしても良い。
【符号の説明】
【００５５】
１緯入れ系列                          ２緯入れ系列
１１緯入れ装置                        １２給糸体スタンド
１３給糸体                            １４緯糸
１５測長貯留装置                      １６糸巻付けアーム
１７ドラム                            １８係止ピン
１９操作器                            
２１メインノズル                      ２２サブノズル
２４経糸                              ２５開口
２７筬                                ２８織布
２９織り前                            ３０給糸カッタ
３１緯糸フィーラ                
３５圧力空気源                        ３６圧力調整器
３７電磁開閉弁                        ３８圧力調整器
３９電磁開閉弁                        
４１主軸                              ４２原動モータ
４３角度検出器（エンコーダ）          ４４開口制御装置
４５織機制御装置                      ４６緯入れ制御装置
４７主制御器                          ４８比較器
４９緯入れ制御器
５１記憶器                            ５２設定器
【００５６】
Ｓ１正常な緯入れ信号                  Ｓ２緯止め信号
Ｓ３緯止め信号                        Ｓ４密度信号
Ｓ５糸種選択信号                      Ｓ６回転数信号
Ｓ７切換信号
θ角度
【図１】
2011042883.tif 000003